(57)【要約】【課題】複数個の光源を備えた投射型液晶表示装置では、寿命特性の違いにより、個々の光源の輝度にばらつきが生じる。  【解決手段】複数の光源を点灯させた時の光束をパネルに照明することで画像を投射する投射型表示装置であって、前記複数の光源を各々制御する光源制御手段と、前記複数の光源から放射される輝度を計測する光源輝度計測手段と、を備え、前記光源輝度計測手段の計測結果に基づいて、前記光源制御手段により、前記複数の光源の輝度の比率を変えることを特徴とする。【選択図】図１
2020030254.tif 000002
【特許請求の範囲】
【請求項１】
複数の光源を点灯させた時の光束をパネルに照明することで画像を投射する投射型表示装置であって、
前記複数の光源を各々制御する光源制御手段と、
前記複数の光源から放射される輝度を計測する光源輝度計測手段と、
を備え、前記光源輝度計測手段の計測結果に基づいて、前記光源制御手段により、前記複数の光源の輝度の比率を変えることを特徴とする投射型表示装置。
【請求項２】
複数の光源を点灯させた時の光束をパネルに照明することで画像を投射する投射型表示装置であって、
前記複数の光源を各々制御する光源制御手段と、
前記複数の光源から放射される輝度を計測する光源輝度計測手段と、
光源の制御手段を設定する光源制御手段設定部と、
を備え、前記光源制御手段設定部において、前記光源制御手段が特殊光源制御手段に設定された場合、前記光源輝度計測手段の計測結果に基づいて、前記光源制御手段により、前記複数の光源の輝度の比率を変えることを特徴とする投射型表示装置。
【請求項３】
複数の光源を点灯させたときの光束をパネルに照明することで画像を投射する投射型表示装置であって、
前記複数の光源を各々制御する光源制御手段と、
前記複数の光源から放射される輝度を計測する光源輝度計測手段と、
光源の制御手段を設定する光源制御手段設定部と、
を備え、前記光源制御手段は、前記複数の光源の輝度を変調する輝度変調制御手段を有し、前記光源制御手段設定部において、前記光源制御手段が輝度変調制御手段に選択された場合、前記光源輝度計測手段の計測結果に基づいて、前記輝度変調制御手段により、前記複数の光源の輝度の比率を変えることを特徴とする投射型表示装置。
【請求項４】
複数の光源を点灯させたときの光束をパネルに照明することで画像を投射する投射型表示装置であって、
前記複数の光源を各々制御する光源制御手段と、
前記複数の光源から放射される輝度を計測する光源輝度計測手段と、
光源の制御手段を設定する光源制御手段設定部と、
を備え、前記光源制御手段は、前記複数の光源の輝度を一定とする輝度一定制御手段を有し、前記光源制御手段設定部において、前記光源制御手段が輝度一定制御手段に選択された場合、前記光源輝度計測手段の計測結果に基づいて、前記輝度一定制御手段により、前記複数の光源の輝度の比率を変えることを特徴とする投射型表示装置。  
【請求項５】
前記複数の光源はランプであることを特徴とする請求書１乃至請求書４の何れか一項に記載の投射型表示装置。
【請求項６】
前記複数の光源は固体光源であることを特徴とする請求書１乃至請求書４の何れか一項に記載の投射型表示装置。
【発明の詳細な説明】
【技術分野】
【０００１】
本発明は、投射型表示装置の光源制御方法に関する。
【背景技術】
【０００２】
近年、投射型表示装置の使用用途の内、プレゼンや展示会などの主に常時設置タイプの使用用途においては、投射画像の高輝度、光源手段の長寿命、などの要求が出てきている。投射型表示装置の光源として、キセノンランプ、ハロゲンランプ、メタルハライドランプ、超高圧水銀ランプなどの白色光源が一般的である。
【０００３】
上記のようなランプを光源用いる場合、より高輝度化の要求に応えるために、例えばランプ光源を２個用いる２灯式投射型表示装置や、３個以上のランプ光源を用いる多灯式投射型表示装置が考えられる。
【０００４】
しかしながら、２灯式や多灯式では、複数のランプを用いることになるため寿命特性の違いにより、個々のランプの輝度にばらつきが生じてしまう。
【０００５】
また、近年、投射型表示装置の光源にＬＥＤ、ＬＤ、有機ＥＬなどの固体光源を用いることにより、エコ、長寿命、メンテナンスフリー、高色再現性を実現できるようになってきている。ただし、投射型表示装置の光源に固体光源を用いる場合、ランプ光源を用いる場合と比べて投射画像の明るさが低いという問題がある。そのため、複数の固体光源を用いることが主流となっている。
【０００６】
しかしながら、複数の固体光源を投射型表示装置の光源として使用し続けると、各個の固体光源の寿命特性や温度特性は徐々にばらつくため、個々の固体光源の輝度にばらつきが生じてしまう。
【０００７】
特許文献１には、複数のランプ光源を備えており、光量計測手段による光量計測履歴に基づいて、複数の光源の内一部を選択して点灯させることにより長寿命化する技術が開示されている。また、特許文献２には、複数個のレーザ光源を備えており、レーザ光量検出手段により検出した結果に基づいて、全てもしくは一部のレーザ光源の光量を低減することにより長寿命化する技術が開示されている。
【先行技術文献】
【特許文献】
【０００８】
【特許文献１】特開２０１１−２１５２１４号公報
【特許文献２】特開２００４−２７９９４３号公報
【発明の概要】
【発明が解決しようとする課題】
【０００９】
しかしながら、特許文献１に開示された技術のように、複数のランプ光源のＯＮ／ＯＦＦ制御による光源長寿命化方法では、最大出力輝度の低下や、輝度の調節分解能が低いといった課題がある。また、特許文献２に開示された技術のように、複数の固体光源の一部または全ての光量を低減することによる光源長寿命化方法では、最大出力輝度の低下が生じるといった問題がある。
【００１０】
本発明は、上記課題に鑑みてなされたものであり、その目的は、光源の輝度の調節分解能が高く、かつ、光源の最大出力輝度を低下させることなく、光源の長寿命化が可能な投射型情事装置を提供することである。
【課題を解決するための手段】
【００１１】
本発明の一側面としての投射型表示装置は、複数の光源を点灯させた時の光束をパネルに照明することで画像を投射する投射型表示装置であって、  
前記複数の光源を各々制御する光源制御手段と、  
前記複数の光源から放射される輝度を計測する光源輝度計測手段と、
を備え、前記光源輝度計測手段の計測結果に基づいて、前記光源制御手段により、前記複数の光源の輝度の比率を変えることを特徴とする。
【発明の効果】
【００１２】
本発明によれば、光源の輝度の調節分解能が高く、かつ、光源の最大出力輝度を低下させることなく、光源の長寿命化が可能な投射型情事装置を提供することができる。
【図面の簡単な説明】
【００１３】
【図１】本発明の実施例１に関わる投射型表示装置の構成を表すブロック図である。
【図２】本発明の実施例１に関わる投射型表示装置の光源長寿命化制御の流れを表すフローチャートである。
【図３】本発明の実施例１、２に関わる投射型表示装置の光源輝度計測手段の構成を表すブロック図である。
【図４】本発明の実施例１、２に関わる投射型表示装置の光源制御手段を表す図である。
【図５】本発明の実施例２に関わる投射型表示装置の構成を表すブロック図である。
【図６】本発明の実施例２に関わる投射型表示装置の光源長寿命化制御の流れを表すフローチャートである。
【図７】本発明の実施例３，４に関わる投射型表示装置の構成を表すブロック図である。
【図８】本発明の実施例３に関わる光源輝度変調制御に関する図である。
【図９】本発明の実施例３，４に関わる投射型表示装置の光源長寿命化制御の流れを表すフローチャートである。
【図１０】本発明の実施例４に関わる光源輝度一定制御に関する図である。
【図１１】本発明の実施例６に関わる投射型表示装置の光源輝度計測手段の構成を表すブロック図である。
【図１２】本発明の実施例６に関わる投射型表示装置の光源制御手段を表す図である。
【発明を実施するための形態】
【００１４】
以下、本発明の実施例について、図面を参照しながら詳細に説明する。各図において、同一の部材については同一の参照番号を付し、重複する説明は極力省略する。
【実施例１】
【００１５】
図１は、本発明の実施例１に関わる投射型表示装置の構成を表すブロック図である。
【００１６】
画像入力部１０は、パーソナルコンピュータ（ＰＣ）やプレーヤーなどの再生機器から出力された入力画像信号を受信する。画像処理部１１は画像入力部１０から入力画像を受け取り、画像処理を行う。パネル駆動部１２は、画像処理部１１から画像処理された信号を受け取り、パネル１７の仕様に対応する信号形態に変換を行い表示駆動する。パネル１７に表示された画像は、光源１４、照明光学系１６および投射光学系１８によって投射面２に拡大投射される。マイコン６は、光源輝度計測手段１５の結果を光源制御手段７に反映する。光源１４は光源制御手段７によって制御される。光源１４から出力された光は照明光学系１６を通りパネル１７に照射される。パネル１７に照射された光は投射光学系１８によって拡大され、投射面２に投射される。
【００１７】
光源１４の長寿命化制御に関して、図２のフローチャートに沿って説明をする。まずステップＳ１において、投射型表示装置１の電源をＯＮする。次にＳ２において、光源輝度計測手段１５により光源１４の輝度を計測する。最後にＳ３において、Ｓ２で計測した光源輝度計測結果に基づいて光源１４の制御を行うことにより、光源１４の長寿命化を行いながら投射を行うことができる。
【００１８】
光源輝度計測手段１５により光源輝度を計測する手段について、図３をもとに説明する。
【００１９】
図３は光源１４にランプ光源を用いた場合の光源輝度計測手段１５に関する図である。ここではランプ光源１＿２０、ランプ光源２＿２１、ランプ光源３＿２２の計３つのランプ光源を使用した場合である。輝度計測手段１５には、ランプ光源１＿２０、ランプ光源２＿２１、ランプ光源３＿２２をそれぞれ個別に輝度計測できるように、輝度計測器１＿２３、輝度計測器２＿２４、輝度計測器３＿２５を備えている。次に、輝度計測手段１５の計測結果が、マイコン６により光源制御手段７へ反映される。そして、光源輝度計測手段１５の計測結果に応じて、ランプ光源１＿２０、ランプ光源２＿２１、ランプ光源３＿２２を個別に制御する。
【００２０】
光源制御手段７において光源を制御する手段について、図４をもとに説明する。
【００２１】
図４は光源１４にランプを用いた場合の光源制御手段７に関する図である。ここではランプ光源１＿２０、ランプ光源２＿２１、ランプ光源３＿２２の計３つのランプ光源を使用した場合である。図４（ａ）は通常光源制御時を、図４（ｂ）は特殊光源制御時を示している。
【００２２】
図４（ａ）のように、通常光源制御時は、ある一定の電圧もしくは電流を光源に印加したときの輝度がランプ光源１＿２０、ランプ光源２＿２１、ランプ光源３＿２２で同じ値であったことを想定している。その場合、図４（ａ）に示す通り、ランプ光源１＿２０、ランプ光源２＿２１、ランプ光源３＿２２は同じランプ光源出力で点灯される。
【００２３】
一方、図４（ｂ）のように本実施例における光源制御手段７では、ある一定の電圧もしくは電流を光源に印加したときの輝度がランプ光源１＿２０、ランプ光源２＿２１、ランプ光源３＿２２で異なる値であったことを想定している。ここでは、ランプ光源３＿２２の輝度がランプ光源１＿２０、ランプ光源２＿２１に対して低い。そのため、ランプ光源３＿２２の輝度が下がった分、ランプ光源１＿２０の輝度を上げ、ランプ光源１＿２０、ランプ光源２＿２１、ランプ光源３＿２２の輝度の合計をそろえる。
【００２４】
このように、ランプ光源の輝度の比率を変えることにより、ランプ光源の合計輝度を下げることなく、輝度の低いランプ３＿２２を長寿命化することができる。ここではランプ光源１＿２０の輝度を上げたが、ある一定の電圧もしくは電流を光源に印加したときの輝度によっては、ランプ光源３＿２２の輝度が下がった分、ランプ光源２＿２１とランプ１＿２０の輝度を上げてもよい。
【実施例２】
【００２５】
図５は、本発明の実施例２に関わる投射型表示装置の構成を表すブロック図である。
【００２６】
画像入力部１０は、パーソナルコンピュータ（ＰＣ）やプレーヤーなどの再生機器から出力された入力画像信号を受信する。画像処理部１１は画像入力部１０から入力画像を受け取り、画像処理を行う。パネル駆動部１２は、画像処理部１１から画像処理された信号を受け取り、パネル１７の仕様に対応する信号形態に変換を行い表示駆動する。
【００２７】
パネル１７に表示された画像は、光源１４、照明光学系１６および投射光学系１８によって投射面２に拡大投射される。操作部３では、ユーザーの操作に従い種々の設定を変更することができる。光源制御手段設定部４では、操作部３でのユーザーの操作に従い、光源制御手段の設定を行う。記憶部５には、光源制御手段設定部４で設定された光源制御手段が記憶される。マイコン６では光源制御手段設定部４における設定を光源制御部７に反映したり、光源輝度計測手段１５の結果を光源制御手段７に反映する。
【００２８】
光源制御手段７では、光源制御手段設定部４の設定によって、通常光源制御手段８で光源制御を行うか、特殊光源制御手段９で光源制御を行うか設定され、設定された光源制御手段で制御を行う。光源１４は光源制御部７によって制御される。光源１４から出力された光は照明光学系１６を通りパネル１７に照射される。パネル１７に照射された光は投射光学系１８によって拡大され、投射面２に投射される。
【００２９】
光源１４の長寿命化制御に関して、図６のフローチャートに沿って説明をする。
【００３０】
まずステップＳ１において、投射型表示装置１の電源をＯＮする。次にＳ２において、記憶部５に記憶されている特殊光源制御手段が設定されているかどうかマイコンがアクセスする。
【００３１】
Ｓ２において、特殊光源制御手段が設定されている場合、マイコン６が光源制御部７に設定を反映し、特殊光源制御手段として光源１４を制御する。
【００３２】
続いてＳ３において、光源輝度計測手段１５は光源１４の輝度を計測する。
【００３３】
最後にＳ４において、Ｓ２で設定された光源制御手段及びＳ３で計測した光源輝度計測結果に基づいて光源１４の制御を行うことにより、光源の長寿命化を行いながら投射を行うことができる。
【００３４】
光源輝度計測手段１５の光源の輝度を計測する手段について、図３をもとに説明する。図３は光源１４にランプ光源を用いた場合の光源輝度計測手段１５に関する図である。ここではランプ光源１＿２０、ランプ光源２＿２１、ランプ光源３＿２２の計３つのランプ光源を使用した場合である。
【００３５】
輝度計測手段１５には、ランプ光源１＿２０、ランプ光源２＿２１、ランプ光源３＿２２をそれぞれ個別に輝度計測できるように、輝度計測器１＿２３、輝度計測器２＿２４、輝度計測器３＿２５を備えている。次に、光源輝度計測手段１５の計測結果が、マイコン６により光源制御手段７へ反映される。光源制御手段７は、通常光源制御手段と特殊光源制御手段を持ち、特殊光源制御手段に設定されている場合、光源輝度計測手段１５の計測結果に応じて、ランプ光源１＿２０、ランプ光源２＿２１、ランプ光源３＿２２を個別に制御する。
【００３６】
光源制御手段７において光源を制御する手段について、図４をもとに説明する。図４は光源１４にランプを用いた場合の光源輝度制御手段７に関する図である。ここではランプ光源１＿２０、ランプ光源２＿２１、ランプ光源３＿２２の計３つのランプ光源を使用した場合である。光源輝度制御手段７には、
図４（ａ）の通常光源制御時と、図４（ｂ）の特殊光源制御時がある。光源輝度制御手段７は、光源制御手段設定部４において設定を行うことができ、設定された光源制御手段は記憶部５に保存される。図４（ａ）のように、通常光源制御時は、ある一定の電圧もしくは電流を光源に印加したときの輝度がランプ光源１＿２０、ランプ光源２＿２１、ランプ光源３＿２２で同じ値であったことを想定している。その場合、図４（ａ）に示す通り、ランプ光源１＿２０、ランプ光源２＿２１、ランプ光源３＿２２は同じランプ光源出力で点灯される。
【００３７】
一方、図４（ｂ）のように、特殊光源制御時は、ある一定の電あるもしくは電流を光源に印加したときの輝度がランプ光源１＿２０、ランプ光源２＿２１、ランプ光源３＿２２で異なる値であったことを想定している。ここでは、ランプ光源３＿２２の輝度がランプ光源１＿２０、ランプ光源２＿２１に対して低い。そのため、ランプ光源３＿２２の輝度が下がった分、ランプ光源１＿２０の輝度を上げ、ランプ光源１＿２０、ランプ光源２＿２１、ランプ光源３＿２２の輝度の合計をそろえる。
【００３８】
このように、ランプ光源の輝度の比率を変えることにより、ランプ光源の合計輝度を下げることなく、輝度の低いランプ３＿２２を長寿命化することができる。ここではランプ光源１＿２０の輝度を上げたが、ある一定の電圧もしくは電流を光源に印加したときの輝度によっては、ランプ光源３＿２２の輝度が下がった分、ランプ光源２＿２１とランプ１＿２０の輝度を上げてもよい。
【実施例３】
【００３９】
図７は、本発明の実施例３に関わる投射型表示装置の構成を表すブロック図である。
【００４０】
画像入力部１０は、パーソナルコンピュータ（ＰＣ）やプレーヤーなどの再生機器から出力された入力画像信号を受信する。画像処理部１１は画像入力部１０から入力画像を受け取り、画像処理を行う。パネル駆動部１２は、画像処理部１１から画像処理された信号を受け取り、パネル１７の仕様に対応する信号形態に変換を行い表示駆動する。パネル１７に表示された画像は、光源１４、照明光学系１６および投射光学系１８によって投射面２に拡大投射される。
【００４１】
操作部３では、ユーザーの操作に従い種々の設定を変更することができる。光源制御手段設定部４では、操作部３でのユーザーの操作に従い、光源制御手段７の設定を行う。記憶部５には、光源制御手段設定部４で設定された光源制御手段が記憶される。マイコン６では光源制御手段設定部４における設定を光源制御手段７に反映したり、光源輝度計測手段１５の結果を光源制御手段７に反映する。
【００４２】
光源制御手段７では、光源制御手段設定部４の設定によって、通常光源制御手段８で光源制御を行うか、特殊光源制御手段９で光源制御を行うか設定され、設定された光源制御手段で制御を行う。このとき、光源制御手段設定部４の設定によって、特殊光源制御手段９が選択されていた場合は、さらに特殊光源制御手段９の内、輝度変調制御手段３０もしくは輝度一定制御手段３１のどちらを選択しているかを記憶部５から読み取り、その制御手段により光源制御を行う。
【００４３】
本実施例３の光源制御手段７は特殊光源制御手段９の内、輝度変調制御手段３０が設定された場合である。ここで、輝度変調とは、ユーザーが光源の輝度を変調してプロジェクタを使用したい場合の、いわゆる高コントラストモードを指す。図８をもとに、輝度変調（高コントラスト）制御手段３０について詳しく説明する。
【００４４】
通常のプロジェクタでは、映像信号の特徴によらず一定の輝度で光源１４を点灯する。例えば、映像信号によらず、１００％の輝度で光源を点灯した場合、図８（ａ）（ｂ）（ｃ）の（３）の状態となる。この場合、明るいシーンは、十分表現できるが、暗いシーンなどでは、漆黒が十分に再現できないという課題があった。
【００４５】
一方、光源の輝度変調では、シーン毎の画素データ分布に最適な光源の輝度を選択する。例えば、図８（ａ）の暗いシーンでは、（１）の光源１４の輝度が、最も画素データに適した光源の輝度となる。これにより、通常のプロジェクターでは再現できなかった漆黒を表現することができる。図８（ｂ）の中程度の明るさのシーンでは、（２）の光源１４の輝度が、最も画素データに適した光源の輝度となり、図（ｃ）の明るいシーンでは、（３）の光源１４の輝度が最も画素データに適した光源の輝度となる。光源１４は光源制御手段７によって制御される。光源１４から出力された光は照明光学系１６を通りパネル１７に照射される。パネル１７に照射された光は投射光学系１８によって拡大され、投射面２に投射される。
【００４６】
光源の長寿命化制御に関して、図９のフローチャートに沿って説明する。
【００４７】
まずステップＳ１において、投射型表示装置１の電源をＯＮする。
【００４８】
次にＳ２において、記憶部５にマイコン６がアクセスし、特殊光源制御手段９が設定されているかどうか判定する。
【００４９】
Ｓ３において、特殊光源制御手段９が設定されている場合、記憶部５にマイコン６がアクセスし、輝度変調制御手段３０と輝度一定制御手段３１どちらが設定されているか判定する。本実施例３の光源制御手段７は特殊光源制御手段９の内、輝度変調制御手段３０が設定された場合である。マイコン６が光源制御手段７に反映し、輝度変調制御手段３０として光源１４を制御する。
【００５０】
続いてＳ４において、輝度計測手段１５は光源１４の輝度を計測する。
【００５１】
最後にＳ５において、Ｓ３で設定された光源制御手段７及びＳ４で計測した光源輝度計測結果に基づいて光源１４の制御を行うことにより、長寿命化を行いながら投射を行うことができる。
【実施例４】
【００５２】
図７は、本発明の実施例４に関わる投射型表示装置の構成を表すブロック図である。
【００５３】
画像入力部１０は、パーソナルコンピュータ（ＰＣ）やプレーヤーなどの再生機器から出力された入力画像信号を受信する。画像処理部１１は画像入力部１０から入力画像を受け取り、画像処理を行う。パネル駆動部１２は、画像処理部１１から画像処理された信号を受け取り、パネル１７の仕様に対応する信号形態に変換を行い表示駆動する。
【００５４】
パネル１７に表示された画像は、光源１４、照明光学系１６および投射光学系１８によって投射面２に拡大投射される。操作部３では、ユーザーの操作に従い種々の設定を変更することができる。光源制御手段設定部４では、操作部３でのユーザーの操作に従い、光源制御手段の設定を行う。
【００５５】
記憶部５には、光源制御手段設定部４で設定された光源制御手段が記憶される。マイコン６では光源制御手段設定部４における設定を光源制御手段７に反映したり、輝度計測手段１５の結果を光源制御手段７に反映する。
【００５６】
光源制御手段７では、光源制御手段設定部４の設定によって、通常光源制御手段８で光源制御を行うか、特殊光源制御手段９で光源制御を行うか設定され、設定された光源制御手段７で制御を行う。このとき、光源制御手段設定部４の設定によって、特殊光源制御手段が選択されていた場合は、さらに特殊光源制御手段９の内、輝度変調制御手段３０もしくは輝度一定制御手段３１のどちらを選択しているかを記憶部５から読み取り、その制御手段により光源制御を行う。
【００５７】
本実施例４の光源制御手段７は特殊光源制御手段９の内、輝度一定制御手段３１が設定された場合である。ここで、輝度一定とは、ユーザが輝度の明るさをやや落としてでも光源１４の電力を落としてプロジェクタを使用したい場合の、いわゆる省エネモードを指す。図１０をもとに、輝度一定（省エネ）制御手段モードについて詳しく説明する。
【００５８】
通常動作時は、図１０（ａ）のように、ランプ１、２、３の出力値一定で光源を点灯する。これに対し、輝度一定（省エネ）制御時は、図１０（ｂ）のように、出力値を輝度一定制御時出力値まで落とした状態を基準としている。また、ある一定の電圧もしくは電流を光源に印加したときの輝度がランプ光源１＿２０、ランプ光源２＿２１、ランプ光源３＿２２で異なる値であったことを想定している。ここでは、ランプ光源３＿２２の輝度がランプ光源１＿２０、ランプ光源２＿２１に対して低い。そのため、ランプ光源３＿２２の輝度が下がった分、ランプ光源１＿２０の輝度を上げ、ランプ光源１＿２０、ランプ光源２＿２１、ランプ光源３＿２２の輝度の合計をそろえる。
【００５９】
このように、ランプ光源の輝度の比率を変えることにより、ランプ光源の合計輝度を下げることなく、輝度の低いランプ３＿２２を長寿命化することができる。ここではランプ光源１＿２０の輝度を上げたが、ある一定の電圧もしくは電流を光源に印加したときの輝度によっては、ランプ光源３＿２２の輝度が下がった分、ランプ光源２＿２１とランプ１＿２０の輝度を上げてもよい。光源１４は光源制御手段７によって制御される。光源１４から出力された光は照明光学系１６を通りパネル１７に照射される。パネル１７に照射された光は投射光学系１８によって拡大され、投射面２に投射される。
【００６０】
光源の長寿命化制御に関して、図９のフローチャートに沿って説明する。
【００６１】
まずステップＳ１において、投射型表示装置１の電源をＯＮする。
【００６２】
次にＳ２において、記憶部５にマイコン６がアクセスし、特殊光源制御手段９が設定されているかどうか判定する。
【００６３】
Ｓ３において、特殊光源制御手段９が設定されている場合、記憶部５にマイコン６がアクセスし、輝度変調制御手段３０と輝度一定制御手段３１どちらが設定されているか判定する。本実施例４の光源制御手段７は特殊光源制御手段９の内、輝度一定制御手段３１が設定された場合である。マイコン６が光源制御部７に反映し、輝度一定制御手段３１として光源１４を制御する。
【００６４】
続いてＳ４において、輝度計測手段１５は光源１４の輝度を計測する。最後にＳ５において、Ｓ３で設定された光源制御手段７及びＳ３で計測した光源輝度計測結果に基づいて光源１４の制御を行うことにより、長寿命化を行いながら投射を行うことができる。
【実施例５】
【００６５】
実施例５は図１、５、７の光源１４にランプを用いた場合の実施例に関するものである。実施例５に関わる投射型表示装置の構成を表すブロック図：図１または図５または図７、光源長寿命化制御の流れを表すフローチャート：図２または図６または図８、光源輝度計測手段の構成を表すブロック図：図３、光源制御手段を表す図：図４、光源輝度変調制御に関する図：図８、及び、光源輝度一定制御に関する図１０に関する説明は、実施例１〜４に記載の内容と同じであるので割愛する。
【実施例６】
【００６６】
実施例６は図１、５、７の光源１４に固体光源を用いた場合の実施例に関するものである。実施例６に関わる投射型表示装置の構成を表すブロック図：図１または図５または図７、光源長寿命化制御の流れを表すフローチャート：図２または図６または図８、光源輝度計測手段の構成を表すブロック図：図３、光源制御手段を表す図：図４、光源輝度変調制御に関する図：図８、及び、光源輝度一定制御に関する図１０に関する説明は、実施例１〜４に記載の内容と同じであるので割愛する。
【００６７】
図１１は、本発明の実施例６に関わる投射型表示装置の構成を表すブロック図である。光源輝度計測手段１５の光源１４の輝度を計測する手段について、図１１をもとに説明する。図１１は光源１４に固体光源を用いた場合の光源輝度計測手段１５に関する図である。
【００６８】
ここでは固体光源ユニット１＿２６、固体光源ユニット２＿２７、固体光源ユニット３＿２８の計３つの固体光源ユニットを使用した場合である。また、各固体光源ユニットは固体光源ａ、ｂ、ｃ、、ｄ、ｅ、ｆを有している。輝度計測手段１５には、固体光源ユニット１＿２６、固体光源ユニット２＿２７、固体光源ユニット３＿２８をそれぞれ個別に輝度計測できるように、輝度計測器１＿２３、輝度計測器２＿２４、輝度計測器３＿２５を備えている。
【００６９】
次に、輝度計測手段１５の計測結果が、マイコン６により光源制御部７へ反映される。光源制御部７は、通常光源制御手段８と特殊光源制御手段９を持ち、特殊光源制御手段９に設定されている場合、輝度計測手段１５の計測結果に応じて、は固体光源ユニット１＿２６、固体光源ユニット２＿２７、固体光源ユニット３＿２８を個別に制御する。
【００７０】
光源制御手段７において、光源１４を制御する手段について、図１２をもとに説明する。図１２は光源１４に固体光源を用いた場合の光源制御手段７に関する図である。
【００７１】
ここでは固体光源ユニット１＿２６、固体光源ユニット２＿２７、固体光源ユニット３＿２８の計３つの固体光源ユニットを使用した場合である。また、各固体光源ユニットは固体光源ａ、ｂ、ｃ、ｄ、ｅ、ｆを有している。輝度制御手段７には、図１２（ａ）の通常光源制御時と、図１２（ｂ）の特殊光源制御時がある。通常光源制御手段８は、光源制御モード設定部４において設定を行うことができ、設定された光源制御手段７は記憶部５に保存される。図１２（ａ）は通常光源制御手段８を表しており、光源１４に固体光源を用いた場合である。ここでは固体光源ユニット１＿２６、固体光源ユニット２＿２７、固体光源ユニット３＿２８の計３つの固体光源を使用した場合である。通常光源制御手段８では、ある一定の電圧もしくは電流を光源に印加したときの輝度が固体光源ユニット１＿２６、固体光源ユニット２＿２７、固体光源ユニット３＿２８で同じ値であったことを想定している。その場合、図１２（ａ）に示す通り、固体光源ユニット１＿２６、固体光源ユニット２＿２７、固体光源ユニット３＿２８は同じ固体光源出力で点灯される。
【００７２】
一方、図１２（ｂ）の特殊光源制御手段９では、ある一定の電圧もしくは電流を光源に印加したときの輝度が固体光源ユニット１＿２６、固体光源ユニット２＿２７、固体光源ユニット３＿２８で異なる値であったことを想定している。ここでは、固体光源ユニット３＿２８の輝度が固体光源ユニット１＿２６、固体光源ユニット２＿２７に対して低い。そのため、固体光源ユニット３ａ、ｃ、ｅ＿２８の輝度が下がった分、固体光源ユニット１ａ、ｃ、ｅ＿２６の輝度を上げ、固体光源ユニット１＿２６、固体光源ユニット２＿２７、固体光源ユニット３＿２８の輝度の合計をそろえる。このように、固体光源の輝度の比率を変えることにより、固体光源の合計輝度を下げることなく、輝度の低いｌ固体光源ユニット３＿２８を長寿命化することができる。ここでは固体光源ユニット１＿２６の輝度を上げたが、ある一定の電あるもしくは電流を光源に印加したときの輝度によっては、固体光源ユニット２＿２７の輝度を上げてもよい。また、ここでは固体光源ユニット１ａ、ｃ、ｅ＿２６の輝度を上げたが、ある一定の電あるもしくは電流を光源に印加したときの輝度によっては、例えば、固体光源ユニット１＿２６内の別の固体光源ｂ、ｄ、ｆの輝度を上げてもよい。
【符号の説明】
【００７３】
１  投射型表示装置、２  投射面、３  操作部、４  光源制御手段設定部、
５  記憶部、６  マイコン、７  光源制御手段、８  通常光源制御手段、
９  特殊光源制御手段、１０  画像入力部、１１  画像処理部、
１２  パネル駆動部、１３  投射部、１４  光源、１５  光源輝度計測手段、
１６  照明光学系、１７  パネル、１８  投射光学系、２０  ランプ光源１、
２１  ランプ光源２、２２  ランプ光源３、２３  輝度計測器１、
２４  輝度計測器２、２５  輝度計測器３、２６  固体光源ユニット１、
２７  固体光源ユニット２、２８  固体光源ユニット３、３０  輝度変調制御手段、
３１  輝度一定制御手段
【図１】
2020030254.tif 000003
【図２】
2020030254.tif 000004
【図３】
2020030254.tif 000005
【図４】
2020030254.tif 000006
【図５】
2020030254.tif 000007
【図６】
2020030254.tif 000008
【図７】
2020030254.tif 000009
【図８】
2020030254.tif 000010
【図９】
2020030254.tif 000011
【図１０】
2020030254.tif 000012
【図１１】
2020030254.tif 000013
【図１２】
2020030254.tif 000014